(57)【要約】【課題】  開閉窓を構成する窓障子３ｅの竪框１３ａ、１３ａを目立たなくすると同時に、方立１、１の屋外側面の意匠を単純化する事で、ビルディングの外壁面の意匠の設計に関する自由度を高める。【解決手段】  上記窓障子３ｅを構成するガラスパネル７ａの水平方向両端部屋内側面を、この窓障子３ｅの竪辺を構成する上記各竪框１３ａ、１３ａの屋外側面に貼着する。そして、屋外側から見た場合にこれら各竪框１３ａ、１３ａが上記ガラスパネル７ａにより覆われて見えない様にする。【選択図】  図２
2006002413.tif 000002
【特許請求の範囲】
【請求項１】
それぞれが鉛直方向に配置された互いに平行な複数本の方立と、それぞれが水平方向に配置されてそれぞれの両端部を隣り合う方立の側面に突き合わせ結合した複数本の無目と、鉛直方向に隣り合う無目と水平方向に隣り合う方立とにより四周を囲まれる部分に開閉自在に建て込まれた窓障子とを備えたカーテンウォールに於いて、上記窓障子を構成するパネルの水平方向両端部屋内側面は、この窓障子の竪辺を構成する竪框の屋外側面に貼着されていて、屋外側から見た場合にこれら各竪框が上記パネルにより覆われている事を特徴とするカーテンウォール。
【請求項２】
各方立はそれぞれ、屋外側端部にパネルの面方向に設けられた単一の抑え板部と、屋内側端部に設けられた中空で四角管状の柱部と、これら抑え板部の屋内側面の幅方向中央部と柱部の屋外側面の幅方向中央部とを結ぶ状態で屋内外方向に設けられた連結板部とを備えたものであり、窓障子を建て込んでこの窓障子を閉鎖位置に移動させた状態で各竪框が対向する各竪枠が、水平方向に隣り合う１対の方立のうちで、抑え板部と柱部と連結板部とにより三方を囲まれた凹部に嵌合固定されており、上記各竪枠は、これら各凹部内に収まって、屋外側から見た場合に抑え板部により覆われて見えない基部と、窓障子を構成するパネルよりも屋内側部分でこの基部からこの窓障子側に突出してその屋外側面をこの窓障子の端部屋内側面に対向させる支え板部とを備えたものである、請求項１に記載したカーテンウォール。
【発明の詳細な説明】
【技術分野】
【０００１】
本発明は、ビルディングの外壁面を構成するカーテンウォールの構造の改良に関し、この外壁面の意匠の設計に関する自由度を高めるべく考えたものである。
【背景技術】
【０００２】
ビルディングの外壁面を構成する場合、鉄骨（躯体）を組み立てた後、この鉄骨の外側に予め工場で造った複数枚のカーテンウォールを張り付けて外観を整える。この様なカーテンウォールにより構成されたビルディングの外壁面の意匠に就いて、建築主の要求が多様化している。例えば、開閉窓の設置部分に就いても、窓障子の框が目立たない、すっきりした外観が求められる場合が多くなっている。例えば、図９〜１２は、非特許文献１に記載され、且つ実際に施工されて従来から知られている、開閉窓を設置したカーテンウォールの従来構造の２例を示している。
【０００３】
先ず、図９に示した従来構造の第１例の場合には、方立１、１と無目２、２とにより四周を囲まれた部分に窓障子３、３ａを、この窓障子３、３ａ全体をこの部分の内側に配置した状態で開閉自在に建て込んでいる。これら各窓障子３、３ａはそれぞれ、ガラスパネルの四周縁を上下左右の框により支持して成るもので、壁面を屋外側から見た場合にこれら各框は、上記各方立１、１或は無目２、２に隣接した部分に露出する。この様な第１例の構造の場合、上記各窓障子３、３ａの設置部分を屋外側から見ると、これら各方立１、１及び無目２、２に隣接して上記各框が存在する為、意匠的に重たい感じに（ごつく）なる事が避けられない。一方、開閉式でない、嵌め殺し窓を構成するガラスパネルは、框を使用する事なく、上記各方立１、１及び無目２、２に、直接或は簡単なアタッチメントを介して支持し、これら各方立１、１及び無目２、２に隣接して框が存在する事はない。この為、図９に示した第１例の構造では、開閉窓部分と嵌め殺し窓部分とが、意匠的にはっきりと区別できる様になり、建築主の要求に応えられない場合がある。
【０００４】
次に、図１０〜１２に示した従来構造の第２例の場合には、各窓障子３ｃ、３ｄを構成する框４ａ、４ｂを、方立１ａ、１ａ及び無目２ａ、２ｂの一部屋外側に位置させている。従って、屋外側から見た場合にこれら方立１ａ、１ａ及び無目２ａ、２ｂの一部は、上記各窓障子３ｃ、３ｄを構成する框４ａ、４ｂにより覆われて見えない。この為、ビルディングの外観を、上述した第１例に比べて意匠的にすっきりしたものにできると共に、開閉窓部分と嵌め殺し窓部分との差も小さくできる。
【０００５】
但し、上記第２例の構造の場合には、図１１から明らかな通り、上記各窓障子３ｃ、３ｄを閉鎖位置に移動させた状態で、上記各方立１ａ、１ａと、これら各方立１ａ、１ａの屋外側に隣接する状態に設けられた各框４ａ、４ｂ同士の間に溝部５、５が形成される。この為、上記各方立１ａ、１ａ部分の意匠に限った場合には、この意匠が複雑化する。又、ビルディングの外観から金属的な感じを除く為に、カーテンウォールを構成する方立の屋外側面を化粧目板により覆う場合がある。ところが、上記第２例の構造では、上記各窓障子３ｃ、３ｄを解放位置に移動させると、上記隣接する状態で設けられた上記各框４ａ、４ｂ同士がずれる為、上述の様な化粧目板を設置する事ができない。これらにより、上記第２例の構造の場合も、ビルディングの外観の意匠が限られたものになる。
【０００６】
開閉窓を構成する窓障子として、框の屋外側面の一部をガラスパネルにより覆う、隠れサッシと呼ばれる構造が、特許文献１に記載される等により従来から知られている。但し、従来は、この特許文献１を含めて従来から知られている隠れサッシと呼ばれる構造を、カーテンウォールの開閉窓設置部分に適用して、この開閉窓に隣接する方立の意匠を整える事に就いては考慮されていなかった。
【０００７】
【特許文献１】実公平５−１２４６６号公報
【非特許文献１】「ａｒｃｈｉ  ｗａｌｌ／ＶＯＬ２／カーテンウォール総合カタログ」、不二サッシ株式会社、平成９年１２月、ｐ．１５７−１５８、２１２−２１３
【発明の開示】
【発明が解決しようとする課題】
【０００８】
本発明は、上述の様な事情に鑑みて、開閉窓を構成する窓障子の框を目立たなくすると同時に、方立の屋外側面の意匠を単純化する事で、ビルディングの外壁面の意匠の設計に関する自由度を高められるカーテンウォールを実現すべく発明したものである。
【課題を解決するための手段】
【０００９】
本発明のカーテンウォールは、従来から知られているカーテンウォールと同様に、それぞれが鉛直方向に配置された互いに平行な複数本の方立と、それぞれが水平方向に配置されてそれぞれの両端部を隣り合う方立の側面に突き合わせ結合した複数本の無目と、鉛直方向に隣り合う無目と水平方向に隣り合う方立とにより四周を囲まれる部分に開閉自在に建て込まれた窓障子とを備える。
特に、本発明のカーテンウォールに於いては、上記窓障子を構成するパネルの水平方向両端部屋内側面は、この窓障子の竪辺を構成する竪框の屋外側面に貼着されていて、屋外側から見た場合にこれら各竪框が上記パネルにより覆われている。
【発明の効果】
【００１０】
上述の様に構成する本発明のカーテンウォールによれば、開閉窓を構成する窓障子の框を目立たなくすると同時に、方立の屋外側面の意匠を単純化する事で、ビルディングの外壁面の意匠の設計に関する自由度を高められる。即ち、上記框はパネルにより覆われており、屋外側から上記窓障子の両竪辺部分を見た場合には、パネルのみが見える。従って、上記開閉窓を設置した部分と、嵌め殺し窓部分との、意匠上の違いが小さくなる。又、方立の屋外側端部に設けた抑え板部の屋外側面全体がビルディングの外壁面に露出する為、この方立の屋外側面の意匠を単純化すると同時に、この屋外側面に化粧目板を設置する事も可能になる。これらにより、上述の様に、ビルディングの外壁面の意匠の設計に関する自由度を高められる。
【発明を実施するための最良の形態】
【００１１】
本発明を実施する場合に好ましくは、請求項２に記載した様に、上記各方立はそれぞれ、屋外側端部にこのカーテンウォールの面方向に設けられた単一の抑え板部と、屋内側端部に設けられた中空で四角管状の柱部と、これら抑え板部の屋内側面の幅方向中央部と柱部の屋外側面の幅方向中央部とを結ぶ状態で屋内外方向に設けられた連結板部とを備えたものとする。
そして、窓障子を建て込んでこの窓障子を閉鎖位置に移動させた状態で各竪框が対向する各竪枠を、水平方向に隣り合う１対の方立のうちで、上記抑え板部と上記柱部と上記連結板部とにより三方を囲まれた凹部に嵌合固定する。
又、上記各竪枠は、これら各凹部内に収まって、屋外側から見た場合に抑え板部により覆われて見えない基部と、窓障子を構成するパネルよりも屋内側部分でこの基部からこの窓障子側に突出してその屋外側面をこの窓障子の端部屋内側面に対向させる支え板部とを備えたものとする。
【００１２】
この様に構成すれば、従来からカーテンウォールを構成する為に使用している一般的な方立を使用して、水平方向に隣り合う方立同士の間に、各竪框の屋外側面をパネルにより覆った窓障子を開閉自在に建て込める。この様な窓障子を水平方向に隣り合う方立同士の間に建て込む為には、これら各方立と竪枠とを一体とする事でも可能であるが、この場合には、竪枠と一体の方立を特別に造る必要がある。又、無目との結合部で、上記竪枠となるべき部分を除去する必要も生じる。方立は、竪枠を構成する押出型材に比べて断面積が大きく、この様に断面積が大きな押出型材を専用に造る事は、カーテンウォールの製造コストを著しく高くする原因となる。上述の様な請求項２に記載した構造を採用すれば、上記方立として、従来から一般的に使用されていたものを流用できるので、カーテンウォールの製造コストを高くする事がない。又、無目との結合部も、容易に構成できる。
【実施例１】
【００１３】
図１〜６は、本発明の実施例１を示している。カーテンウォールは、Ｈ型鋼等の鋼製の型材を溶接して造った、十分な剛性及び強度を有する図示しないフレームに、図１に示す様に、それぞれが鉛直方向に配置された互いに平行な複数本の方立１、１を固定し、更に、それぞれが水平方向に配置された複数本の無目２ａ、２ｂの両端部を、隣り合う方立１、１の側面に突き合わせ結合している。そして、鉛直方向に隣り合う無目２ａ、２ｂと水平方向に隣り合う方立１、１とにより四周を囲まれる部分のうちの一部に窓障子３ｅ、３ｆを開閉自在に建て込むと共に、残部に、パネル６、６を嵌め殺し式に建て込んでいる。これら各パネル６、６の建て込み部分の構造に関しては、従来から広く知られているカーテンウォールと同じである。
【００１４】
又、上記各窓障子３ｅ、３ｆのうち、図１の左側の窓障子３ｅは、鉛直方向に配置された枢軸を中心に屋外側に揺動する事で解放される、所謂外開き窓である。又、図１の右側の窓障子３ｆ、３ｆは、水平方向に配置された枢軸を中心に屋外側に揺動する事で解放される、所謂排煙窓である。この様な、各窓障子３ｅ、３ｆの、窓枠に対する建て込み構造に就いても、従来から広く実施されている窓装置の構造と同様であるから、詳しい図示並びに説明は省略する。以下の説明は、本実施例の特徴である、隣り合う方立１、１同士の間に、上記各窓障子３ｅ、３ｆを開閉自在に建て込んだ部分の構成を中心に行なう。
【００１５】
上記各方立１、１はそれぞれ、アルミニウム合金に一体押出型材で、抑え板部８と、柱部９と、連結板部１０とを備える。このうちの抑え板部８は、上記各方立１、１の屋外側端部（図２、４の下端部、図３、５、６の左端部）に設けられたもので、上記各窓障子３ｅ、３ｆを構成するガラスパネル７ａ、７ｂの面方向に存在する、単一の平板状である。又、上記柱部９は、上記各方立１、１の屋内側端部（図２、４の上端部、図３、５、６の右端部）に設けられたもので、中空で四角管状である。更に、上記連結板部１０は、上記抑え板部８の屋内側面の幅方向中央部と上記柱部９の屋外側面の幅方向中央部とを結ぶ状態で、屋内外方向に設けられている。
【００１６】
この様な上記各方立１、１のうちで、上記各窓障子３ｅ、３ｆを建て込むベき部分に、それぞれこれら各窓障子３ｅ、３ｆを建て込む為の窓枠１１ａ、１１ｂを構成する竪枠１２ａ、１２ｂを支持固定している。即ち、上記各窓障子３ｅ、３ｆのうち、これら各窓障子３ｅ、３ｆを閉鎖位置に移動させた状態でこれら各窓障子３ｅ、３ｆの竪辺を構成する各竪框１３ａ、１３ｂが対向する部分に、上記各竪枠１２ａ、１２ｂを支持固定している。これら各竪枠１２ａ、１２ｂはそれぞれ、アルミニウム合金の一体押出型材製で、基部１４ａ、１４ｂと支え板部１５ａ、１５ｂとから成る。そして、このうちの基部１４ａ、１４ｂを、上記各方立１、１の屋外側半部の側面で、上記抑え板部８と上記柱部９と上記連結板部１０とにより三方を囲まれた凹部１６、１６に嵌合固定している。この状態で、上記各竪枠１２ａ、１２ｂのうちの基部１４ａ、１４ｂは、上記各凹部１６、１６内に収まって、屋外側から見た場合に上記抑え板部８により覆われて見えない。これに対して上記支え板部１５ａ、１５ｂは、上記各窓障子３ｅ、３ｆを構成する前記ガラスパネル７ａ、７ｂよりも屋内側部分で上記基部１４ａ、１４ｂからこれら各窓障子３ｅ、３ｆ側に突出して、その屋外側面をこれら各窓障子３ｅ、３ｆの端部屋内側面に対向させる。
【００１７】
又、これら各窓障子３ｅ、３ｆはそれぞれ、上記各竪框１３ａ、１３ｂと、これら各竪框１３ａ、１３ｂの上端部にその両端部を結合固定した上框１７ａ、１７ｂと、同じく下端部にその両端部を結合固定した下框１８ａ、１８ｂとを備える。そして、上記各窓障子３ｅ、３ｆのうち、外開き窓である窓障子３ｅは、左右両竪辺を構成する１対の竪框１３ａ、１３ａと、上辺を構成する上框１７ａと、下辺を構成する下框１８ａとの屋外側面に、前記ガラスパネル７ａを添着固定している。このガラスパネル７ａのうち、上端縁部及び下端縁部は、図３に示す様に、上記上框１７ａに設けた上側係止溝部１９ａ又は上記下框１８ａに設けた下側係止溝部２０ａに、それぞれ係止した状態で、接着剤及びコーキング剤により、上記上框１７ａ又は下框１８ａに対し、水密を保持した状態で固定している。同様に、排煙窓である上記窓障子３ｆに関しても、ガラスパネル７ｂのうち、上端縁部及び下端縁部は、図５、６に示す様に、上記上框１７ｂに設けた上側係止溝部１９ｂ又は上記下框１８ｂに設けた下側係止溝部２０ｂに、それぞれ係止した状態で、接着剤及びコーキング剤により、上記上框１７ｂ又は下框１８ｂに対し、水密を保持した状態で固定している。
【００１８】
これに対して、上記各窓障子３ｅ、３ｆを構成する上記各ガラスパネル７ａ、７ｂの左右両端部は、それぞれの屋内側面を、それぞれの窓障子３ｅ、３ｆの竪辺を構成する上記各竪框１３ａ、１３ａ（外開き窓である窓障子３ｅの場合、排煙窓である窓障子３ｆの場合には各竪框１３ｂ、１３ｂ）の屋外側面に、接着により固定している。図２、４に示す様に、上記各ガラスパネル７ａ、７ｂの幅寸法は、上記各窓障子３ｅ、３ｆの幅寸法と一致させている。従って、これら各窓障子３ｅ、３ｆを屋外側から見た場合に、上記各竪框１３ａ、１３ａ（１３ｂ、１３ｂ）は、上記各ガラスパネル７ａ、７ｂに覆われて見えなくなる。
【００１９】
上述の様に本実施例のカーテンウォールの場合には、開閉窓を構成する上記各窓障子３ｅ、３ｆの竪辺を構成する上記各竪框１３ａ、１３ｂを上記各ガラスパネル７ａ、７ｂにより覆う為、これら各竪框１３ａ、１３ｂを目立たなくできる。尚、上記各窓障子３ｅ、３ｆの上下両辺を構成する上框１７ａ、１７ｂ及び下框１８ａ、１８ｂは、それぞれ無目２ａ、２ｂの下側或は上側に位置して、屋外側から見られる状態となる。但し、この部分の形状に関しては、図７に示した、パネル６の上下両端縁部を上下に隣り合う無目２ａ、２ｂ同士の間に嵌め殺し式に建て込んだ部分の形状と類似している。従って、上記上框１７ａ、１７ｂ及び下框１８ａ、１８ｂが屋外側に露出しても、上記開閉窓を構成する上記各窓障子３ｅ、３ｆの設置部分と、嵌め殺し窓の設置部分との意匠が、互いに大きく異なる事はない。
【００２０】
又、本実施例によれば、前記各方立１、１の屋外側面の意匠を単純化する事で、ビルディングの外壁面の意匠の設計に関する自由度を高められる。即ち、上記各窓障子３ｅ、３ｆの竪辺を構成する上記各竪框１３ａ、１３ｂは、上記各ガラスパネル７ａ、７ｂにより覆われており、屋外側から上記各窓障子３ｅ、３ｆの左右両竪辺部分を見た場合には、上記各ガラスパネル７ａ、７ｂのみが見える。従って、上記開閉窓を設置した部分と、嵌め殺し窓部分との、意匠上の違いが小さくなる。又、上記各方立１、１の屋外側端部に設けた抑え板部８、８の屋外側面全体がビルディングの外壁面に露出する為、上記各方立１、１の屋外側面の意匠を単純化すると同時に、この屋外側面に化粧目板を設置する事も可能になる。これらにより、上述の様に、ビルディングの外壁面の意匠の設計に関する自由度を高められる。
【実施例２】
【００２１】
次に、図８は、本発明の実施例２を示している。本実施例の場合には、外開き窓である窓障子３ｇを、方立１と中間方立２１との間に建て込んでいる。前述の図９に示す様に、隣り合う方立１、１同士の間に、これら両方立１、１の間隔よりも小さな幅寸法を有する窓障子３を建て込む場合がある。本実施例は、この様な構造に本発明を適用した場合に就いて示している。この様な本実施例の場合には、上記中間方立２１が、上記窓障子３ｇをを建て込む為の窓枠の一方の竪辺を構成（竪枠として機能）する。その他の構成及び作用は、上述した実施例１と同様である為、重複する説明は省略する。
【図面の簡単な説明】
【００２２】
【図１】本発明の実施例１のカーテンウォールを、屋外側から見た状態で示す部分正面図。
【図２】図１の拡大Ａ−Ａ断面図。
【図３】同拡大Ｂ−Ｂ断面図。
【図４】同拡大Ｃ−Ｃ断面図。
【図５】同拡大Ｄ−Ｄ断面図。
【図６】同拡大Ｅ−Ｅ断面図。
【図７】嵌め殺し窓部分を示す、図５、６と同様の断面図。
【図８】本発明の実施例２を示す、図２と同様の断面図。
【図９】従来構造の第１例を示す、図１と同様の図。
【図１０】同第２例を示す、図１と同様の図。
【図１１】図１０の拡大Ｆ−Ｆ断面図。
【図１２】同拡大Ｇ−Ｇ断面図。
【符号の説明】
【００２３】
１、１ａ  方立
２、２ａ、２ｂ  無目
３ａ、３ｂ、３ｃ、３ｄ、３ｅ、３ｆ、３ｇ  窓障子
４ａ、４ｂ  框
５    溝部
６    パネル
７ａ、７ｂ  ガラスパネル
８    抑え板部
９    柱部
１０    連結板部
１１ａ、１１ｂ  窓枠
１２ａ、１２ｂ  竪枠
１３ａ、１３ｂ  竪框
１４ａ、１４ｂ  基部
１５ａ、１５ｂ  支え板部
１６    凹部
１７ａ、１７ｂ  上框
１８ａ、１８ｂ  下框
１９ａ、１９ｂ  上側係止溝部
２０ａ、２０ｂ  下側係止溝部
２１    中間方立
【図１】
2006002413.tif 000003
【図２】
2006002413.tif 000004
【図３】
2006002413.tif 000005
【図４】
2006002413.tif 000006
【図５】
2006002413.tif 000007
【図６】
2006002413.tif 000008
【図７】
2006002413.tif 000009
【図８】
2006002413.tif 000010
【図９】
2006002413.tif 000011
【図１０】
2006002413.tif 000012
【図１１】
2006002413.tif 000013
【図１２】
2006002413.tif 000014